(57)【要約】【課題】本考案は、多方向位置調整機能を備えるコネクタプラグ構造を提供する。【解決手段】接続部材と、第一接続プラグと、第二接続プラグと、複数の信号コードとからなる。接続部材の一端には縦向き連結部が設けられ、他端には横向き連結部が設けられる。第一接続プラグの一端には第一枢設部が設けられ、第一枢設部は、接続部材の縦向き連結部に接続される。第二接続プラグの一端には第二枢設部が設けられ、第二枢設部は接続部材の横向き連結部に接続される。また、第一接続プラグの他端には、第一コネクタが設けられ、第二接続プラグの他端には信号ケーブルが設けられる。前記複数の信号コードは、順番に、接続部材及び第一接続プラグ及び第二接続プラグ内部に穿設されるとともに、第一コネクタと信号ケーブルの間に電気的に接続される。【選択図】図４
0003181254.tif 000002
【実用新案登録請求の範囲】
【請求項１】
接続部材と、第一接続プラグと、第二接続プラグと、複数の信号コードとからなる多方向位置調整機能を備えるコネクタプラグ構造であって、
前記接続部材は、内部に収容空間を備え、前記接続部材の一端には縦向き連結部が設けられ、前記接続部材の他端には横向き連結部が設けられ、
前記第一接続プラグは、第一接続プラグを縦向きに移動させて位置を調整できるようにするために、前記接続部材の縦向き連結部に接続され、前記第一接続プラグは、内部に収容空間を備え、前記第一接続プラグの一端には第一開口部が設けられ、前記第一接続プラグの他端には第一枢設部が設けられ、前記第一開口部には第一コネクタが設けられ、前記第一枢設部には縦向き切溝が設けられ、前記接続部材の縦向き連結部は、前記第一枢設部の縦向き切溝内に接続され、
前記第二接続プラグは、第二接続プラグを横向きに移動させて位置を調整できるようにするために、前記接続部材の横向き連結部に接続され、前記第二接続プラグは、その内部に収容空間を備え、前記第二接続プラグの一端には第二開口部が設けられ、前記第二接続プラグの他端には第二枢設部が設けられ、前記第二枢設部には横向き切溝が設けられ、前記接続部材の横向き連結部は、前記第二枢設部の横向き切溝内に接続され、
前記複数の信号コードは、それぞれ順番に、前記接続部材及び第一接続プラグ及び第二接続プラグに設けられた収容空間に穿設され、前記複数の信号コードの一端は前記第一コネクタに電気的に接続されることを特徴とする、多方向位置調整機能を備えるコネクタプラグ構造。
【請求項２】
前記縦向き連結部の左、右側辺には、相互に対応する第一穿孔が設けられ、前記第一穿孔周縁には、それぞれ第一凸部が設けられ、前記縦向き切溝の内部の二つの側辺には、相互に対応する枢設溝が設けられ、前記枢設溝は、前記第一穿孔と相互に対応し、前記第一凸部は、それぞれ、前記枢設溝内に嵌合されることを特徴とする、請求項１に記載の多方向位置調整機能を備えるコネクタプラグ構造。
【請求項３】
前記横向き連結部の上、下表面には相互に対応する第二穿孔が設けられ、前記第二穿孔周縁には第二凸部が設けられ、前記第二凸部は、それぞれ、前記横向き切溝の内側壁に嵌合されることを特徴とする、請求項１に記載の多方向位置調整機能を備えるコネクタプラグ構造。
【請求項４】
前記第一コネクタの一端は、第一ポートを備え、前記第一コネクタの他端は第一ポートを備え、前記第一コネクタの一端の前記第一ポートは、前記第一接続プラグから露出し、前記第一コネクタの他端の前記第一ポートは、第一接続プラグの収容空間に配置され、前記第一コネクタの他端の前記第一ポートは、前記信号コードと電気的に接続されることを特徴とする、請求項１に記載の多方向位置調整機能を備えるコネクタプラグ構造。
【請求項５】
前記第一コネクタは、プラグタイプ、或いは、ジャックタイプであることを特徴とする、請求項１に記載の多方向位置調整機能を備えるコネクタプラグ構造。
【請求項６】
前記第二接続プラグの第二開口部には、信号ケーブルが設けられ、前記信号コードの他端は、前記信号ケーブルと電気的に接続され、それにより、前記第一コネクタと前記信号ケーブルは電気的に導通することを特徴とする、請求項１に記載の多方向位置調整機能を備えるコネクタプラグ構造。
【請求項７】
前記第二接続プラグの第二開口部には、第二コネクタが設けられ、前記信号コードの他端は、前記第二コネクタと電気的に接続され、それにより、前記第一コネクタと前記第二コネクタは電気的に導通することを特徴とする、請求項１に記載の多方向位置調整機能を備えるコネクタプラグ構造。
【請求項８】
前記第二コネクタの一端は第二ポートを備え、前記第二コネクタの他端は第二ポートを備え、前記第二コネクタの一端の前記第二ポートは、前記第二接続プラグから露出し、前記第二コネクタの他端の前記第二ポートは第二接続プラグの収容空間に配置され、前記第二コネクタの他端の前記第二ポートは前記信号コードと電気的に接続されることを特徴とする、請求項７に記載の多方向位置調整機能を備えるコネクタプラグ構造。
【請求項９】
前記第二コネクタは、プラグタイプ、或いは、ジャックタイプであることを特徴とする、請求項７に記載の多方向位置調整機能を備えるコネクタプラグ構造。
【考案の詳細な説明】
【技術分野】
【０００１】
本考案は多方向位置調整機能を備えるコネクタプラグ構造に関する。
【背景技術】
【０００２】
従来の電気コネクタプラグ構造は、いずれも、固定式で回転させることができない設計となっているため、電気コネクタプラグを使用者のニーズに合わせて向きをかえることができず、電気コネクタプラグの末端コードが曲がって圧迫されることがよくある。それが長時間続くと、コードの曲がった箇所と圧迫された箇所の電線が断裂したりねじ曲がったりして使用上の問題を起こすことがある。
【考案の概要】
【考案が解決しようとする課題】
【０００３】
以上の欠点を鑑み、本考案は、多方向位置調整機能を備えるコネクタプラグ構造を提供することを目的とする。
【課題を解決するための手段】
【０００４】
本考案による多方向位置調整機能を備えるコネクタプラグ構造は、接続部材と、第一接続プラグと、第二接続プラグと、複数の信号コードとからなる。接続部材の一端には縦向き連結部が設けられ、接続部材の他端には横向き連結部が設けられる。第一接続プラグの一端には第一枢設部が設けられ、第一枢設部は、接続部材の縦向き連結部に接続される。それにより、第一接続プラグは、縦向き（垂直）方向に位置を調整できるようになる。第二接続プラグの一端には第二枢設部が設けられ、第二枢設部は接続部材の横向き連結部に接続される。それにより、第二接続プラグを横向き（水平）方向に位置を調整できるようになる。また、第一接続プラグの他端には、第一コネクタが設けられ、第二接続プラグの他端には信号ケーブルが設けられる。前記複数の信号コードは、順番に、接続部材及び第一接続プラグ及び第二接続プラグ内部に穿設されるとともに、第一コネクタと信号ケーブルの間に電気的に接続される。それにより、第一コネクタと信号ケーブルは電気的に導通する。
【考案の効果】
【０００５】
以上の構造により、使用者が不注意で力を入れすぎてしまい、プラグを回転させすぎてしまって、内部のコードがねじれたり断裂したりすることがなくなる。
【図面の簡単な説明】
【０００６】
【図１】本考案のコネクタプラグ構造の組み合わせを示した概略図である。
【図２】本考案のコネクタプラグ構造の実施例１の分解図である。
【図３】本考案のコネクタプラグ構造の実施例１の側面断面図である。
【図４】本考案のコネクタプラグ構造の実施例１を使用した状態を示した概略図である。
【図５】本考案のコネクタプラグ構造の実施例２の組み合わせを示した概略図である。
【図６】本考案のコネクタプラグ構造の実施例２の側面断面図である。
【図７】本考案のコネクタプラグ構造の実施例２を使用した状態を示した概略図である。
【考案を実施するための形態】
【０００７】
（実施例１）
図１から図４を参照する。本考案による多方向位置調整機能を備えるコネクタプラグ構造は、接続部材１と、第一接続プラグ２と、第二接続プラグ３と、複数の信号コード４とからなる。
【０００８】
接続部材１の内部には収容空間１０が設けられ、接続部材１の一端には縦向き連結部１１が設けられ、他端には横向き連結部１２が設けられる。縦向き連結部１１における左、右側辺には相互に対応する第一穿孔１１１が設けられ、第一穿孔１１１周縁には、それぞれ第一凸部１１２が設けられる。また、横向き連結部１２における上、下表面には、相互に対応する第二穿孔１２１が設けられ、第二穿孔１２１周縁には、それぞれ第二凸部１２２が設けられる。また、第一穿孔１１１と第二穿孔１２１は、収容空間１０に相互に貫通する。また、前記接続部材１は、上ケースと下ケースを相互に結合させてなる。
【０００９】
第一接続プラグ２は、接続部材１の縦向き連結部１１位置に連結され、第一接続プラグ２の内部には収容空間２０が設けられる。また、第一接続プラグ２の一端には、第一開口部２１が設けられ、他端には、第一枢設部２２が設けられる。また、第一接続プラグ２における第一開口部２１には、第一コネクタ５が設けられ、第一接続プラグ２における第一枢設部２２には、縦向き切溝２３が設けられ、縦向き切溝２３の内部の二つの側辺には、相互に対応する枢設溝２４が設けられ、枢設溝２４は、収容空間２０と相互に貫通する。また、接続部材１の縦向き連結部１１は、第一枢設部２２の縦向き切溝２３内に連結され、接続部材１の第一穿孔１１１は、第一接続プラグ２の枢設溝２４と相互に対応するとともに、第一凸部１１２はそれぞれ枢設溝２４内に嵌合される。それにより、第一接続プラグ２を、接続部材１に対して、縦向きに（垂直に）移動させて位置を調整することができるようになる。
【００１０】
前記第一接続プラグ２は、上ケースと下ケースを相互に結合させてなる。また、前記第一コネクタ５の一端は、第一接続プラグ２から露出する第一ポート５１を備え、その他端は、第一接続プラグ２内部に設けられる第一ポート５２を備える。すなわち、第一コネクタ５の第一ポート５２は、第一接続プラグ２の収容空間２０に位置する。実施例では、前記第一コネクタ５はプラグタイプにすることもできるし、前記第一コネクタ５はジャックタイプにすることもできる。
【００１１】
第二接続プラグ３は、接続部材１の横向き連結部１２の位置に連結され、その内部は収容空間３０を備え、第二接続プラグ３の一端には第二開口部３１が設けられ、その他端には第二枢設部３２が設けられる。また、第二接続プラグ３における第二開口部３１には信号ケーブル６が設けられ、第二接続プラグ３における第二枢設部３２には横向き切溝３３が設けられる。その内、接続部材１の横向き連結部１２は、第二枢設部３２の横向き切溝３３内に接続され、接続部材１の第二穿孔１２１は、第二接続プラグ３の収容空間３０内に配置され、第二凸部１２２はそれぞれ横向き切溝３３の内側壁に嵌合される。それにより、第二接続プラグ３は、接続部材１に対して横向き（水平）に移動させて位置を調整することができる。なお、前記第二接続プラグ３は、上ケースと下ケースを相互に結合してなる。
【００１２】
複数の信号コード４は、順番にそれぞれ、接続部材１及び第一接続プラグ２及び第二接続プラグ３に設けられた収容空間１０、２０、３０内に設けられる。また、信号コード４の一端は、信号ケーブル６に電気的に接続することができる。また、信号コード４は、第二接続プラグ３の収容空間３０内から、接続部材１の第二穿孔１２１を通って収容空間１０内に進入し、さらに、接続部材１の第一穿孔１１１と第一接続プラグ２の枢設溝２４を通って、最後には、第一接続プラグ２の収容空間２０内へと通る。それにより、信号コード４の他端を第一コネクタ５の第一ポート５２に電気的に接続することができる。即ち、信号コード４は、第一コネクタ５と信号ケーブル６の間に電気的に接続され、第一コネクタ５と信号ケーブル６は、電気的な導通構造を形成する。
【００１３】
以上の構造により、第一接続プラグ２を、接続部材１の縦向き連結部１１に対して縦向き（垂直）に移動させて位置を調整させることができるとともに、第二接続プラグ３を接続部材１の横向き連結部１２に対して横向き（水平）に移動させて位置を調整することができることにより、第一コネクタ５或いは信号ケーブル６に、上、下及び左、右の多方向に位置を調整する機能を備えさせることができる。それにより、使用者は、使用のニーズに応じて、第一コネクタ５或いは信号ケーブル６を任意の方向に調整することができる（図４に図示）。それと同時に、第一接続プラグ２は縦向き移動幅が制限されており、第二接続プラグ３は、横向き移動幅が制限されているため、使用者が不注意で力を入れすぎてしまい、プラグを回転させすぎてしまって、内部のコードがねじれたり断裂したりすることがなくなる。
【００１４】
（実施例２）
また、図５、図６、図７を参照する。図５、図６、図７は、本考案のコネクタプラグ構造の実施例２である。実施例２では、第二接続プラグ３の第二開口部３１にも、その他の信号伝送装置を設ける。
【００１５】
本考案の実施例２では、第二接続プラグ３の第二開口部３１には第二コネクタ７が設けられる。前記第二コネクタ７の一端は、第二接続プラグ３から露出する第二ポート７１を備え、その他端は、第二接続プラグ３内部に設けられる第二ポート７２を備える。即ち、第二コネクタ７の第二ポート７２は、第二接続プラグ３の収容空間３０に配置される。さらに、信号コード４を介して、第一コネクタ５の第一ポート５２と第二コネクタ７の第二ポート７２の間が電気的に接続され、それにより、第一コネクタ５と第二コネクタ７が電気的に導通する。また、前記第二コネクタ７は、プラグタイプ、或いは、ジャックタイプにすることができる。
【００１６】
以上の構造により、使用者は、使用のニーズに応じて、第一コネクタ５或いは第二コネクタ７を任意の方向に調整することができる（図７に図示）。
【００１７】
注意が必要なのは、前記第一コネクタ５と第二コネクタ７をいずれもプラグ（オスプラグ）タイプにすることも、或いは、第一コネクタ５と第二コネクタ７をいずれもジャック（メスプラグ）タイプにすることも、或いは、第一コネクタ５と第二コネクタ７を、プラグ（オスプラグ）タイプとジャック（メスプラグ）タイプの混合にすることもできる。
【００１８】
本考案の技術特徴は、主に、接続部材１の一端を、縦方向に第一接続プラグ２へと連結させ、接続部材１の他端を、横方向に第二接続プラグ３へと連結させることにより、第一接続プラグ２、第二接続プラグ３をそれぞれ縦方向と横方向に向きを調整することができる、という点である。また、第一接続プラグ２或いは第二接続プラグ３にはコネクタを設けることで、コネクタに、上、下及び左、右の多方向に方向を調整する機能を備えさせることができる。
【符号の説明】
【００１９】
１      接続部材            
１０    収容空間
１１    縦向き連結部      
１１１  第一穿孔
１１２  第一凸部      
１２    横向き連結部
１２１  第二穿孔      
１２２  第二凸部
２      第一接続プラグ      
２０    収容空間
２１    第一開口部      
２２    第一枢設部
２３    縦向き切溝        
２４    枢設溝
３      第二接続プラグ      
３０    収容空間
３１    第二開口部      
３２    第二枢設部
３３    横向き切溝        
４      信号コード
５      第一コネクタ        
５１    第一ポート
５２    第一ポート      
６      信号ケーブル
７      第二コネクタ        
７１    第二ポート
７２    第二ポート
【図１】
0003181254.tif 000003
【図２】
0003181254.tif 000004
【図３】
0003181254.tif 000005
【図４】
0003181254.tif 000006
【図５】
0003181254.tif 000007
【図６】
0003181254.tif 000008
【図７】
0003181254.tif 000009